(57)【要約】本発明は、導電性金属の単一板から得られる雌電気接触端子に関し、この雌電気接触端子は、  −電気線（１）との圧着接続を可能にする後部部分（２）と、  −底部（５１）と上部と２つの側部（４３、４３’）とからなるケージ４ａを備える前部部分（４）と、  −相補的雄接触端子との接触を保証する少なくとも１つのストリップ（４５、４５’）と、  −前部部分を後部部分に結合する移行部分（３）と、  −移行部分を少なくとも横切る延長脚（４６）と、を備える。
2005529470.tif 000002
【特許請求の範囲】
【請求項１】
導電性金属の単一板から得られる雌電気接触端子であって、
電気線（１）との圧着接続を可能にする後部部分（２）と、
底部（５１）と上部と２つの側部（４３、４３’）とを備えるケージ４ａからなる前部部分（４）と、
相補的雄接触端子との接触を保証する少なくとも１つのストリップ（４５、４５’）と、
前記前部部分を前記後部部分に結合する移行部分（３）と、を備え、
前記上部が前記移行部を横切る少なくとも１つの延長脚（４６）を有することを特徴とする雌電気接触端子。
【請求項２】
請求項１に記載の接触端子において、
さらに、前記上部が２つの組み立てられた部分（４１、４２）を有し、前記部分の１つが少なくとも前記延長脚を含むことを特徴とする接触端子。
【請求項３】
請求項２に記載の接触端子において、
さらに、前記上部の各部分が延長脚を含むことを特徴とする接触端子。
【請求項４】
請求項２または３に記載の接触端子において、
さらに、前記延長脚が、前記移行部分を横切り、前記後部部分に入ることを特徴とする接触端子。
【請求項５】
請求項２〜４のいずれかに記載の接触端子において、
さらに、前記上部の前記２つの部分が互いにはまり合うことを特徴とする接触端子。
【請求項６】
請求項５に記載の接触端子において、
さらに、前記上部の前記部分の一方がほぞ（４９）を形成し、前記上部の他方の部分がほぞ穴（４８）を形成することを特徴とする接触端子。
【請求項７】
請求項１〜６のいずれかに記載の接触端子において、
さらに、前記側部の各々が、前記後部から前記前部の方に前記ケージ（４ａ）の内側に向かって曲げ戻された第１のタブ（４５、４５’）を含むことを特徴とする接触端子。
【請求項８】
請求項７に記載の接触端子において、
さらに、前記側部の各々が、前記前部から前記後部の方に前記ケージ４ａの内側に向かって、前記第１のタブの上に曲げ戻された第２のタブ（５０、５０’）を含むことを特徴とする接触端子。
【請求項９】
請求項１〜８のいずれかに記載の接触端子において、
さらに、少なくとも１つの延長脚が、前記電気線の圧着部材の間に延び、前記線と圧着されることを特徴とする接触端子。
【発明の詳細な説明】
【技術分野】
【０００１】
本発明は、相補的な雄接触端子を受け入れるように意図された、打ち抜かれ曲げられた板金から一体に形成された雌電気接触端子に関する。
【０００２】
本発明は、電気および電子コネクタの分野、特に自動車業界用のコネクタの分野で利用される。
【背景技術】
【０００３】
コネクタの分野では、ますますより安価なコネクタを作るために努力がなされている。このため、一方では可能な最小量の材料を必要とし、他方では可能な最も簡単な製作を必要とするコネクタを設計するために努力がなされている。これらの要求を満たすために、金属フォイルと呼ばれる板金または導電性金属の単一板から一体に、雌または雄のコネクタまたは接触端子を製造することが知られている。この単一板は、所望のコネクタを形成するように打ち抜かれて曲げられる。
【０００４】
特に、ケージ（ｃａｇｅ）型の雌電気接触端子が製造される。そのような接触端子は、相補的雄接触端子に固定された他の電気線と接続するための電気線が圧着で固定される後部部分からなる。また、この雌接触端子は、雄接触端子を受け入れるためのものであるケージ形状の前部部分と、前部部分を後部部分に結合する移行部分とからなる。
【０００５】
そのような雌接触端子は、特許文献１に記載されている。この接触端子のケージは、底部分と２つの側部（または横壁）と上部部分とが打ち抜かれ成形された金属板からなっている。上部部分は、左右に配置された２つの部分からなっている。接触ストリップを形成するように側部にはタブが打ち抜かれ曲げられる。この接触ストリップによって、雌端子と相補的雄端子との間に電気接触が行われる。この雌接触端子では、各要素は「単一の壁」として形成される。すなわち、接触端子の各側部は、金属のただ１つの厚さのみからなる。特に、ケージの側部の各々は、開口とこの開口を横切って配置された電気接触ストリップとを備えたただ１つの壁からなっている。上部部分は、並んで位置付けされた２つの部分からなっている。単一の壁として形成されているために、この接触端子のケージは、特に製造中に接触端子をハンドリングしたときに、つぶれの危険が大いにある。さらに、単一壁としてのこの構造によって、接触端子は、狭い場所で、特に切断線の交差領域で、非常に壊れやすくなる。実際、小さな厚さの板金の打抜き、成形および曲げのために、切断線の交点は、壁に作用する横方向機械力の効果またはこの壁に平行な効果を受けてせん断および／または裂けることがある。この危険は、電気線を圧着する後部部分と接触端子の前部部分のケージとの間の移行部のような、薄い区間で特に高い。
【０００６】
経済的な理由のために、製造者が接点製造のコストを削減する狙いで板金の厚さを減少したとき、この欠点は特に顕著になる。
【０００７】
この問題を解決するために、本出願人は、ケージの側部が移行部に近い部分に延長されているケージ型の雌電気接触端子を発明した。そのような接触端子は、本出願人による特許文献２に記載されている。
【０００８】
この特許文献２に記載されている接触端子は、電気線が圧着される後部部分と、相補的雄コネクタを受け入れるためのものであるケージ形状の前部部分と、前部部分を後部部分に結合する移行部分とを備える。この接触端子のケージは、底部と、並んで配置された２つの部分で形成された上部と、開口及び湾曲部を備えた２つの側部とを備え、該湾曲部は、雄接点が雌接触端子中に差し込まれたときの雄接点のために肩を形成する。
【０００９】
この雌接触端子では、各側部は、矩形形状の枝として移行部分の始端部まで延びている。ケージの側部のこの延長で、移行部分とケージ自体との間に補強物を生じさせることが可能になり、この補強物は、ケージと移行部との間の交差線の領域に位置した接合台形と呼ばれるこの部分を堅くする。言い換えると、ケージの切断線と移行部分の始端部との交差部は、（圧着部の後ろの部分に隣接する移行部分の端と異なって、）ケージの側部を延長するこの枝によって強化される。
【００１０】
しかし、この補強で、移行部分自体を強化することはできない。それどころか、移行部分の始端部が強化されるので、後部部分の近くに位置する移行部分の終端部は、ますます壊れやすくなる。したがって、機械的力について言えば、先程述べたばかりの接触端子は、移行部の始端部でせん断したり裂けたりする危険がほとんどない。というのは、そこが補強されているからである。それに比べて、この剛性のために、移行部分の残りの部分、特に後部部分の近くに脆さが生じる。
【００１１】
特許文献２に記載される接触端子は、その上、上部を形成する部分の延長部に打ち抜かれ、かつケージの内部に曲げ込まれて接触タブを形成する２つのタブを備える。これらのタブの各々は、横壁の第２の厚さを構成し、この第２の厚さがケージの側部を堅くしている。
【００１２】
しかし、上部を形成する部分からこの接触ストリップを生じさせるには、上部を形成する部分の各々に切込みが存在することが必要である。これによって、この接触端子の上部は、特に上部の前部部分、すなわち、雄接点中に最初に差し込まれる部分で壊れやすくなる。雌端子および雄端子の操作が悪い場合、雌端子の上部がつぶれることがある。
【特許文献１】欧州特許出願公開第０９５９，５３１号明細書
【特許文献２】欧州特許出願公開第０８１２，０３４号明細書
【発明の開示】
【発明が解決しようとする課題】
【００１３】
本発明は、上述の電気接触端子の欠点を改善するというまさにその目的を有する。このため、本発明は、一部品で作られた雌電気接触端子を提案し、この雌電気接触端子では、接触ケージの上部を形成する部分の少なくとも１つが、移行部分全体を横切る脚として延びる。その上、ケージの側部は二重壁とされ、接触ストリップが各側部の第２の厚さを形成する。
【課題を解決するための手段】
【００１４】
より正確には、本発明は、導電性金属の単一板から得られる雌電気接触端子に関し、この雌電気接触端子は、
−電気線との圧着接続を可能にする後部部分と、
−底部と上部と２つの側部とを備えるケージ４ａからなる前部部分と、
−相補的雄接触端子との接触を保証する少なくとも１つのストリップと、
−前部部分を後部部分に結合する移行部分と、を備え、
上部が移行部を横切る少なくとも１つの延長脚を有することを特徴とする。
【発明を実施するための最良の形態】
【００１５】
図１は、本発明による雌電気接触端子の上からの概観図である。図１では、上から見た接触端子は、導電性の線１のまわりに圧着するように準備が完了したものとして示されている。
【００１６】
本発明の雌接触端子は、従来技術の雌接触端子のそれと全く同じ寸法および外形を有する。このようにして、雌接触端子は、当業者によく知られている従来の雄接触端子に挿入することができる。したがって、本発明の雌接触端子に対して相補的な雄接触端子は、ここで説明しない。
【００１７】
本発明の雌接触端子は、後部部分２と、前部部分４と、前部部分４を後部部分２に結合する移行部分３と、を備える。
【００１８】
後部部分２は、本発明の雌接触端子に対して相補的な雄接触端子に圧着された別の電気線に接続されるためのものである電気線１を受け入れる。この後部部分２は、圧着部分を形成する相補的な形状の２つの横壁２１および２２だけでなく底部２３も備える。これらの壁２１および２２は、図１では開いているものとして、すなわち、接触端子を形成する板金を曲げた後であるが、電気線１を圧着する前に見られる位置にあるものとして示されている。電気線１を接触端子の定位置に保持するために、これらの壁２１および２２は、曲げ戻され、電気線１の絶縁物のまわりに圧着される。したがって、電気線１は接触端子中に圧着されると言える。
【００１９】
後部部分２は、線１の導電性部分の圧着部材を形成する２つの他の壁３１および３２を備える。
【００２０】
接触端子の前部部分４は、ケージ４ａと、ケージ４ａと移行部分３との間に位置する接合台形と呼ばれる接合部４ｂと、を備える。ケージ４ａは、基本的に平坦面を形成するように一緒に組み立てられた２つの部分４１および４２から形成された上部を備える。本発明の好ましい実施例では、２つの部分４１および４２は、一方を他方に嵌め込んで、ケージ４ａの上部を堅くする。例えば、上部の部分４２は、ほぞを形成する突出部を有することができ、そして上部の部分４１はほぞ穴を形成する切込みを有することができ、このほぞ穴が部分４２のほぞを収容する。
【００２１】
図１に示すように、上部の部分４１は、移行部分３全体を横切る延長脚４６によって延長されている。図１に示す実施例では、延長脚４６は、接触端子の後部部分２の近くの移行部分の後方で終わる。他の実施例では、延長脚４６は移行部分３を完全に横切り、後部部分２で終わっている。この場合、延長脚は、線１の導電性部分の圧着部分３１および３２の間に位置付けすることができる。
【００２２】
図１の実施例では、上部の部分４１だけが後部部分２に延びている。上部の部分４２は、移行部分３の始端部の接合台形４ｂで、タブ４７によって終端している。この接合台形４ｂは、接触端子のケージ４ａと移行部分３との間の接合部を構成する。接合台形４ｂは、一方では前部部分４の底部によって形成され、また他方で２つの上部部分４１および４２によって形成されている。したがって、接合台形は、二重壁であり、これによって、接触端子のこの部分を堅くすることが可能になっている。
【００２３】
本発明の変形例では、ケージ４ａの上部の各部分４１および４２が延長脚４６を備える。このようにして、２つの延長脚は、好ましくは、互いに対称的であり、かつ同じ長さである。
【００２４】
後部部分２は、底部３３と２つの横壁３１および３２とを備える。これらの壁３１および３２は、図１では、移行部分を横切る延長脚４６を示すために開いているように示されている。すなわち、底部３３の方に曲げ戻されていない。板金が完全に成形されるとき、これらの壁３１および３２は、底部３３の方に曲げ戻され、そして壁３１は、線またはケーブル１の剥がされた導電性縒り線だけでなく、上部の部分４１の延長脚４６も取り囲む。この場合、上部の各部分４１および４２が延長脚を有する場合、各壁３１および３２は延長脚の１つを取り囲む。
【００２５】
図２は、本発明による雌接触端子を形成するために曲げられる、打ち抜かれた板金または板金の板または導電性金属の板を示す。特に、図２では、接触端子の前部部分を形成するために板金に行われた打抜き加工が明らかである。留意すべきことであるが、接触端子の移行部分および後部部分は、特許文献２に記載されたコネクタのものと全く同じである。この移行部分およびこの後部部分を形成するための板金の打抜き加工は、従来技術に示されるものと全く同じである。したがって、その説明は、参照文献を組み込むことによってこの明細書に含まれる。
【００２６】
このように、打ち抜かれた板金は、底部５１と、側部５０および５０’と、２つの上部部分４１および４２とを備える。本発明をより適切に理解するために、接触端子が成形されるときに板金が曲げられる場所を鎖線で示す。
【００２７】
底部５１は、接触端子の前部部分を形成するためのものである部分が僅かに切り取られた長方形の形をしている。図を簡略化するために、底部５１は、接触端子の前部部分を形成するためのものである部分だけが示されている。この底部５１は、補強タブ５２を形成するために前部においてただ１つの打抜き加工を含む。このタブは、その幅が長さのほぼ３倍であり、板金の曲げ加工中に、接触端子の縁部に補強物を生成しかつ雄接触端子と雌接触端子とが互いに挿入されるときの雄接触端子の挿入を容易にするために、ケージ４ａの内側の方に１５から２０度の角度で曲げ戻される。
【００２８】
底部５１の各側に、側部４３または４３’が配置されている。２つの側部４３および４３’は、互いに全く同じである。そのために、ここでは側部４３だけを説明する。この側部４３は、この端子を収容する接続ボックスのソケットの中で端子のロックピンを受け入れるための開口４４を有する。
【００２９】
開口４４の打抜き加工中、開口の３つの辺だけが打ち抜かれ、後部タブ４５に一番近い辺である開口の後ろの辺は打ち抜かれない。そして、開口の内側に曲げ戻された板金の部分は、接触ピンの収容ケージの軸線の方に曲がった後の接触ストリップ４５に予め張力をかけるために、または、このストリップの止め具を構成して余りにも大きすぎる断面のピンが差し込まれた場合またはピンが斜めに差し込まれた場合にストリップの変形を制限するために、使用することができる。この止め具は、１つまたは複数の曲げにより、ケージの内部でケージの後部に向かって板金の打ち抜かれた部分を曲げ戻すことによって形成されることができる。雄ピンが雌端子に挿入されるとき、この止め具は安全機能を構成する。
【００３０】
側部４３は、さらに、後部タブと呼ばれる第１のタブ４５を含む。この後部タブ４５は、開口４４と接触端子の後部との間の板金に打ち抜かれる。板金の曲げ加工中に、後部タブ４５は、ほぼ１８０度の角度で、後部から前部の方にケージ４ａの内側に向かって曲げられる。このタブ４５は、本発明の接触端子の接触ストリップを形成する。また、タブ４５は、側部４３の二重壁を形成する。その上、この後部タブ４５は、開口４４に沿ってケージ４ａの内側に配置される。
【００３１】
接触端子の側部４３に打ち抜かれ成形される接触ストリップのそのような実施例によって、従来技術よりも狭いがより堅い接触ストリップを得ることが可能になる。というのは、接触ストリップが側部の二重壁を構成するからである。
【００３２】
より優れた電気接触のために、相補的なピンとの接触の肩５３を形成するようなやり方で、タブ４５は、成形されるときに曲げ戻されることができる。
【００３３】
側部４３は、後部タブ４５に関して開孔４４の他方の側に位置する、前部タブと呼ばれる第２のタブ５０を含む。板金が成形されるとき、この前部タブ５０は、１８０度よりもかなり小さな角度、例えば１６０度で、前部から後部の方にケージ４ａの内側に向かって曲げられる。この前部タブ５０は、後部タブ４５の半分程度の、後部タブ４５の長さよりも小さな長さを有する。前部タブ５０は、後部タブ４５の端部が前部タブ５０の支えになるようなやり方で、後部タブ４５の上に曲げられる。相補的なピンとの接触部の領域でストリップ４５および４５’の間に正確な値の隙間を与えるために、ストリップに予め張力をかけ、かつ挿入中にピンを案内するために、前部タブ５０は、タブ４５で形成される接触ストリップのフレキシブルな支持を保証する。
【００３４】
タブ５０および４５の端部は直角に、すなわち前記タブの表面に対して垂直に打ち抜くことができ、または代わりに、これら２つのタブの重なりを調整するために斜角で打ち抜くことができる。
【００３５】
側部４３’は側部４３と全く同じである。側部４３’は、側部４３と同じ要素、すなわち開口４４’と後部タブ４５’と前部タブ５０’とを備え、それらの曲がりおよび役割は、側部４３について述べたものと全く同じである。本発明は、単一ストリップ４５を備えた接点に応用することができる。
【００３６】
各側部４３および４３’は、上部部分４１または４２に隣接している。より正確には、図２のように、側部４３は上部部分４２に隣接し、側部４３’は上部部分４１に隣接している。上で説明したように、板金が折り重ねられた後で、部分４１および４２は、雌接触端子の前部部分４の上部を形成するように並んで配置され、かつ組み立てられている。
【００３７】
本発明の好ましい実施例では、部分４１および４２は相補的な形状を有し、この相補的な形状によって、上部を堅くするために、一方が他方にぴったりはまることができる。例えば、上部の部分の一方の自由な側（側壁に隣接した側と反対側）は、ほぞを形成するように打ち抜かれ、上部の他方の部分の自由な部分は、ほぞ穴を形成するように打ち抜かれる。上部の２つの部分の自由な部分は、互いに相補的であるジグザグを形成するように打ち抜くこともできる。
【００３８】
図２の例では、上部の部分４１の自由な側は、ほぞ穴４８を形成する打抜き部を含み、そして上部の部分４２の自由な側は、板金の曲げ加工中にほぞ穴４８にぴったり入るほぞ４９を形成する突出部を含む。
【００３９】
図２の実施例では、上部部分４１は延長脚４６を含み、この延長脚は、板金を曲げた後で、前部部分の底部５１の方に向かって曲げ戻される。より正確には、板金の曲げ加工中に、延長脚４６を１回目にケージ４ａと接合台形４ｂとの間の境で曲げ、それから、２回目に接合台形４ｂおよび移行部分３で曲げることができる。この２回目の曲げ加工後に、延長脚４６は移行部分３の底部３３に沿って位置している。
【００４０】
本発明の実施例では、延長脚４６は、後部部分２の内側まで延ばし、導電性の線の圧着部中に収容することができる。
【００４１】
ほぞ穴４８と延長脚４６との間に位置する板金の挿入部５４は、基本的に、底部５１に対して平行な直線部分と、この部分５４を接合台形４ｂにはめ込むことができるようにする傾斜部分とを有した、延長脚で終端する直角三角形の形を有する。
【００４２】
上部の部分４２は、挿入部５４に対称な挿入部４７で終わる。
【００４３】
上で説明したように、上部部分４２はまた、部分４１の延長脚４６に対称な延長脚からなることがある。この延長脚は、延長脚４６と同じ特徴を有することができる。
【００４４】
図３は、板金成形中の本発明の接触端子を示す。図３では、接触端子は、図１の見方に対して９０度回転された見方での概観図で示されている。したがって、前部部分４の底部５１は図３では見えない。対照的に、この図は、ケージ４ａの内部を非常にはっきりと示している。したがって、この図は、本発明の接触端子の側部４３’を、それの開口４４’と後部タブ４５’と曲げ戻された前部タブ５０’と共に示す。この図３はまた、側部４３’に対して直角に曲げられた上部部分４１を、ケージ４ａの内側の方に曲げられた挿入部５４および端部５５と共に示す。
【００４５】
また、この図３は、曲げの途中の前部部分４の他方の側部も示す。ここで、前部の方に曲げ戻された後部タブ４５が、肩５３を形成する曲がりと、後部タブ４５の上に曲げ戻された前部タブ５０と、接合台形に入るために曲げられた挿入部４７と共に見られる。
【００４６】
この図３では、上部部分４２は、上部の他方の部分４１の方にまだ曲げられていない。この曲げ加工は、前部部分４が形成されるために行われる最終の曲げ加工である。
【００４７】
図４は、本発明の接触端子の前部部分の側面図を概観図で示す。この図は、板金が完全に成形されたときの接触端子を示す。ここで、開口４４を有する側部４３が見られ、前部タブ５０で支えられた接触ストリップ４５が、この開口４４を横切るのが見える。また、この図は、上部の部分４１および４２の挿入部５４および４７の傾きはもちろんのこと、上部４１／４２および底部５１のそれぞれの端部５５および５２の傾きも示す。また、この図４では、前部部分４の底部５１の延長部に形成された接合台形４ｂおよびこの接合台形４ｂに配置された挿入部が見える。
【００４８】
ちょうど今説明したばかりの接触端子は、従来技術のその板金以下の寸法の板金で製造することができるという有利点を有し、その上、少なくとも１つの延長脚が導電性線の圧着部で受け取られるときに電流通過の断面だけでなく移行部の断面を増大させる、二重壁と上部の延長とによって堅くなる。実際、本発明では、最初の板金（打ち抜く前）は、最終接触端子の長さに等しい長さと、前記接触端子の１つの側部および底部の寸法の２倍に等しい幅とを有する比較的小型の形を有する。
【００４９】
さらに、板金に行われる打抜き加工は、未使用で、失われるか、またはリサイクルすることが必要とされる材料をほとんど生じさせない。延長脚または側部の二重壁のような補強物は、材料を追加することなく、板金で一体的に形成される。特に、移行部の二重壁を構成する延長脚は、従来技術では使用されなかった板金の部分で形成される。
【図面の簡単な説明】
【００５０】
【図１】電気線が圧着される前の、本発明による雌電気接触端子を示す図である。
【図２】図１の接触端子を形成するように曲げられる、打ち抜かれた板金を示す図である。
【図３】本発明の接触端子のケージを形成するために部分的に曲げられた、図２の打ち抜かれた板金を示す図である。
【図４】本発明の接触端子のケージを形成するために全体的に曲げられた、図２の打ち抜かれた板金を示す図である。
【符号の説明】
【００５１】
１  電気線
２  後部部分
３  移行部分
４  前部部分
４ａ  ケージ
４１、４２  上部の２つの部分
４３、４３’  側部
４５、４５’  ストリップ（第１のタブ）
４６  延長脚
４８  ほぞ穴
４９  ほぞ
５０、５０’  第２のタブ
５１  底部
【図１】
2005529470.tif 000003
【図２】
2005529470.tif 000004
【図３】
2005529470.tif 000005
【図４】
2005529470.tif 000006
【国際調査報告】
2005529470.tif 000007
2005529470.tif 000008
2005529470.tif 000009
2005529470.tif 000010